(57)【要約】      （修正有）【課題】タイミングチャート設計時の設計マージンを広げて、画質特性を改善しながら消費電力を減らすためのフィールドシーケンシャルカラー型液晶表示装置及びその駆動方法を提供する。【解決手段】サブフィールド時間設定部２５０は、一つのフレームに対応するフレーム周波数が外部から入力された場合、第１乃至第３使用者設定信号によってデータ記入時間、液晶応答時間及びバックライト駆動時間をそれぞれ可変設定し、タイミングコントローラー２１０は、１水平周期及び液晶応答時間に対応するゲート制御信号及びデータ制御信号と、バックライト駆動時間に対応する光源制御信号、再整列処理された画素データを生成して、ゲート駆動部２２０、データ駆動部２３０、及びバックライトユニット３００に対してそれぞれ出力する。【選択図】図２
2007183545.tif 000002
【特許請求の範囲】
【請求項１】
お互いに交差するゲートラインとデータラインによって仕分けされるマトリックス形態に配列された複数個のピクセルを備える液晶パネルと、
一つのフレームに対応するフレーム周波数が外部から入力される場合、入力されたフレーム周波数及び第１使用者設定信号によって１水平周期を選択して、第２及び第３使用者設定信号によって前記１水平周期に対応する液晶応答時間及びバックライト駆動時間をそれぞれ決めるサブフィールド時間設定部と、
前記１水平周期及び前記液晶応答時間に対応するゲート制御信号及びデータ制御信号と、前記バックライト駆動時間に対応する光源制御信号、再整列処理された画素データを生成して出力するタイミングコントローラーと、
前記ゲート制御信号によって前記ゲートラインにスキャンパルスを順に出力するゲート駆動部と、
前記データ制御信号によって前記１水平周期ごとにデータ電圧をデータラインに出力するデータ駆動部と、
前記タイミングコントローラーの制御によって前記ピクセルそれぞれに複数の色の光を順に出力するバックライトユニット、
を含むことを特徴とするフィールドシーケンシャルカラー型液晶表示装置。
【請求項２】
前記一つのフレームは赤色、緑及び青色の光を出力するための３個のサブフレームで構成されて、前記各サブフレームは前記１水平周期に対応する可変可能なデータ記入時間、液晶応答時間及びバックライト駆動時間から成る３個のサブフィールドで構成されていることを特徴とする、請求項１記載のフィールドシーケンシャルカラー型液晶表示装置。
【請求項３】
前記サブフィールド時間設定部は、前記第１使用者設定信号によって１水平周期を選択して、前記第２及び第３使用者設定信号によって前記１水平周期に対応する液晶応答時間及びバックライト駆動時間をそれぞれ可変することを特徴とする、請求項２記載のフィールドシーケンシャルカラー型液晶表示装置。
【請求項４】
前記サブフィールド時間設定部は、
前記第１使用者設定信号によって前記フレーム周波数に対応する１水平周期を選択して出力する水平周期可変部と、
前記１水平周期と、前記第２使用者設定信号によって前記液晶応答時間を可変する液晶応答時間可変部と、
前記１水平周期と、前記第３使用者設定信号によって前記バックライト駆動時間を可変するバックライト部駆動時間可変部と、
を含む、請求項３記載のフィールドシーケンシャルカラー型液晶表示装置。
【請求項５】
前記液晶応答時間と前記バックライト駆動時間を決める前記第２及び第３使用者設定信号は周辺温度や輝度偏差によってそれぞれ個別的に設定できることを特徴とする、請求項３記載のフィールドシーケンシャルカラー型液晶表示装置。
【請求項６】
前記第１乃至第３使用者設定信号はそれぞれメモリーに貯蔵された値を使用者が選択することを特徴とする、請求項３記載のフィールドシーケンシャルカラー型液晶表示装置。
【請求項７】
前記可変可能な３個のサブフィールドはそれぞれ最小設定時間及び可変可能な時間から成ることを特徴とする、請求項２記載のフィールドシーケンシャルカラー型液晶表示装置。
【請求項８】
お互いに交差するゲートラインとデータラインによって仕分けされるマトリックス形態に配列された複数個のピクセルを備える液晶パネルと、
一つのフレームに対応するフレーム周波数が外部から入力される場合、これを変調する周波数変造部と、
前記周波数変造部で変調されたフレーム周波数及び第１使用者設定信号によって１水平周期を選択して、第２及び第３使用者設定信号によって前記１水平周期に対応する液晶応答時間及びバックライト駆動時間をそれぞれ決めるサブフィールド時間設定部と、
前記１水平周期及び前記液晶応答時間に対応するゲート制御信号及びデータ制御信号と、前記バックライト駆動時間に対応する光源制御信号、再整列処理された画素データを生成して出力するタイミングコントローラーと、
前記ゲート制御信号によって前記ゲートラインにスキャンパルスを順に出力するゲート駆動部と、
前記データ制御信号によって前記１水平周期ごとにデータ電圧をデータラインに出力するデータ駆動部と、
前記タイミングコントローラーの制御によって前記ピクセルそれぞれに複数の色の光を順に出力するバックライトユニットと、
を含むフィールドシーケンシャルカラー型液晶表示装置。
【請求項９】
前記一つのフレームは赤色、緑色及び青色の光を出力するための３個のサブフレームで構成されて、前記各サブフレームは前記１水平周期に対応する可変可能なデータ、液晶応答時間及びバックライト駆動時間から成る３個のサブフィールドで構成されていることを特徴とする、請求項８記載のフィールドシーケンシャルカラー型液晶表示装置。
【請求項１０】
前記サブフィールド時間設定部は、前記第１使用者設定信号によって１水平周期を選択して、前記第２及び第３使用者設定信号によって前記１水平周期に対応する液晶応答時間及びバックライト駆動時間をそれぞれ可変することを特徴とする、請求項８記載のフィールドシーケンシャルカラー型液晶表示装置。
【請求項１１】
前記サブフィールド時間設定部は、
前記第１使用者設定信号によって前記変調されたフレーム周波数に対応する１水平周期を選択して出力する水平周期可変部と、
前記１水平周期と、前記第２使用者設定信号によって前記液晶応答時間を可変する液晶応答時間可変部と、
前記１水平周期と、前記第３使用者設定信号によって前記バックライト駆動時間を可変するバックライト部駆動時間可変部と、
を含む、請求項１０記載のフィールドシーケンシャルカラー型液晶表示装置。
【請求項１２】
前記液晶応答時間と前記バックライト駆動時間を決める前記第２及び第３使用者設定信号は周辺温度や輝度偏差によってそれぞれ個別的に設定できることを特徴とする、請求項１０記載のフィールドシーケンシャルカラー型液晶表示装置。
【請求項１３】
前記第１乃至第３使用者設定信号はそれぞれメモリーに貯蔵された値を使用者が選択することを特徴とする、請求項１０記載のフィールドシーケンシャルカラー型液晶表示装置。
【請求項１４】
ａ）一つのフレームに対応するフレーム周波数が外部から入力される場合、第１使用者設定信号によって液晶パネルのゲートラインを駆動するための１水平周期を選択する段階と、
ｂ）前記１水平周期と第２及び第３使用者設定信号によって液晶応答時間及びバックライト駆動時間をそれぞれ決めて出力する段階と、
ｃ）前記１水平周期と前記液晶応答時間に対応するゲート制御信号及びデータ制御信号、前記バックライト駆動時間に対応する光源制御信号及び再整列処理された画素データを生成して出力する段階と、
ｄ）前記ゲート制御信号によって前記液晶パネルのゲートラインにスキャンパルスを順に出力する段階と、
ｅ）前記画素データをデータ電圧に変換して、前記データ制御信号によって前記１水平周期ごとに前記データ電圧を前記データラインに出力する段階と、
ｆ）前記光源制御信号によって赤色、緑色、青色の光を順に出力する段階と、
を含むフィールドシーケンシャルカラー型液晶表示装置の駆動方法。
【請求項１５】
前記ａ）段階は、
前記外部から入力されるフレーム周波数を変調する段階と、
前記変調されたフレーム周波数と前記第１使用者設定信号によって液晶パネルのゲートラインを駆動するための１水平周期を選択する段階と、
を含む、請求項１４記載のフィールドシーケンシャルカラー型液晶表示装置の駆動方法。
【請求項１６】
前記一つのフレームは赤色、緑色及び青色の光を出力するための３個のサブフレームで構成されて、前記各サブフレームは前記１水平周期に対応する可変可能なデータ記入時間、液晶応答時間及びバックライト駆動時間から成る３個のサブフィールドで構成されていることを特徴とする、請求項１４記載のフィールドシーケンシャルカラー型液晶表示装置の駆動方法。
【請求項１７】
前記ａ）段階は前記フレーム周波数及び前記第１使用者設定信号によって１水平周期を選択することを特徴とする、請求項１４記載のフィールドシーケンシャルカラー型液晶表示装置の駆動方法。
【請求項１８】
前記ｂ)段階は前記２及び第３使用者設定信号によって前記１水平周期に対応する液晶応答時間及びバックライト駆動時間をそれぞれ可変することを特徴とする、請求項１４記載のフィールドシーケンシャルカラー型液晶表示装置の駆動方法。
【請求項１９】
前記ｂ）段階の液晶応答時間と前記バックライト駆動時間を決める前記第２及び第３使用者設定信号は周辺温度や輝度偏差によってそれぞれ個別的に設定できることを特徴とする、請求項１４記載のフィールドシーケンシャルカラー型液晶表示装置の駆動方法。
【請求項２０】
前記第１乃至第３使用者設定信号はそれぞれメモリーに貯蔵された値を使用者が選択することを特徴とする、請求項１４記載のフィールドシーケンシャルカラー型液晶表示装置の駆動方法。
【発明の詳細な説明】
【技術分野】
【０００１】
本発明は液晶表示装置に関し、より詳しくは、フィールドシーケンシャルカラー（ｆｉｅｌｄ  ｓｅｑｕｅｎｔｉａｌ  ｃｏｌｏｒ）型液晶表示装置及びその駆動方法に関する。
【背景技術】
【０００２】
液晶表示装置は上下部の透明絶縁基板に誘電率異方性を持つ液晶層を形成した後、液晶層に形成される電界の強さを調整して液晶物質の分子配列を変更させて、これを通じて透明絶縁基板に透過される光の量を調節することで願う画像を表現する表示装置である。
【０００３】
液晶表示装置では薄膜トランジスター（Ｔｈｉｎ Ｆｉｌｍ Ｔｒａｎｓｉｓｔｏｒ：ＴＦＴ）をスイチング素子として利用する薄膜トランジスター液晶表示装置（ＴＦＴ ＬＣＤ）が主に使われている。このような液晶表示装置は交差配置されたゲートラインとデータラインに仕分けされるピクセルからなり画像を表示する液晶パネル、液晶パネルを駆動する駆動部、及び液晶パネルに光を供給するバックライトユニットで構成される。
【０００４】
バックライトユニットでは冷陰極蛍光ランプ（Ｃｏｌｄ Ｃａｔｈｏｄｅ Ｆｌｕｏｒｅｓｃｅｎｔ Ｌａｍｐ：ＣＣＦＬ）や発光ダイオード（Ｌｉｇｈｔ Ｅｍｉｔｔｉｎｇ Ｄｉｏｄｅ：ＬＥＤ）などが使われている。そして、発光ダイオードは、消費電力や重さ、輝度などで有利な素子であり、装置の小型化、薄型化及び軽量化が望まれるにつれて脚光を浴びている。
【０００５】
発光ダイオードを光源として使ったバックライトユニットではより良い画質を得るためにフィールドシーケンシャルカラー（Ｆｉｅｌｄ Ｓｅｑｕｅｎｔｉａｌ Ｃｏｌｏｒ：ＦＳＣ）型駆動方式を使うのが一般的である。
【０００６】
フィールドシーケンシャルカラー型駆動方式はカラーを表示するのに、赤色（Ｒｅｄ）、緑色（Ｇｒｅｅｎ）、青色（Ｂｌｕｅ）のカラーフィルターを使わないで、赤色、緑色、青色の３原色光源を順に駆動することで、人の目の残像效果を利用してカラーを表示する方式である。
【０００７】
図１は従来技術によるフィールドシーケンシャルカラー型液晶表示装置の駆動方法を説明するためのタイミングチャートである。
【０００８】
フィールドシーケンシャルカラー型駆動方式は図１に示されたように、液晶パネルでの一つのフレームを赤色（Ｒ)、緑色（Ｇ）、青色（Ｂ）の光を発光するための３個のサブフレームで区分する。例えば、駆動周波数を６０Ｈｚとすれば、一つのフレームは１６．７ｍｓの時間区間であり、それぞれ５．５６ｍｓの赤色（Ｒ）、緑色（Ｇ）及び青色（Ｂ）の３個のサブフレームで分けられるようになる。
【０００９】
各サブフレームは、データ記入するための薄膜トランジスタースキャンを行うデータ記入時間（Ａｄｄｒｅｓｓｉｎｇ Ｐｅｒｉｏｄ：ＡＰ）、液晶応答時間（Ｗａｉｔ Ｐｅｒｉｏｄ：ＷＰ）及びバックライト駆動時間（Ｆｌａｓｈ Ｐｅｒｉｏｄ：ＦＰ）の３個のサブフィールドに仕分けされて、実際各色相によるバックライト駆動時間（ＦＰ）はデータ記入時間（ＡＰ）と液晶応答時間（ＷＰ）を除いた時間になる。また、データ記入時間（ＡＰ）は液晶パネルのゲートラインに順に印加されるすべてのスキャンパルスのゲートオンタイム（Ｇａｔｅ Ｏｎ Ｔｉｍｅ）であり、１ライン分の水平周期（１Ｈ Ｔｉｍｅ）に全体スキャンライン数を掛けた値にあたる。
【００１０】
液晶パネルの赤色、緑色及び青色の画素データは１垂直周期内で同じ割合（Ｒ：Ｇ：Ｂ＝１:１:１)に一番(回)ずつ順次発生して、バックライトユニットも同じ方法に同期されて赤色、緑色、青色の光源(発光ダイオード)が順次に点燈される。
【００１１】
ところが、図１のタイミングチャートに示す従来のフィールドシーケンシャルカラー型駆動方式では、一つのフレームに対応して水平周期（１Ｈ Ｔｉｍｅ)が確定されて、それに対応して固定された液晶応答時間とバックライト駆動時間が発生するように設計されていた。
【発明の開示】
【発明が解決しようとする課題】
【００１２】
このような従来の駆動方法では、液晶応答時間とバックライト駆動時間に対する設計マージン（Ｍａｒｇｉｎ）が小さいから、フレーム周波数が上昇して１水平周期が減少する時、液晶応答時間の不足による輝度偏差が発生して、また低温での色再現率及びコントラスト比（Ｃ／Ｒ； Ｃｏｎｔｒａｓｔ Ｒａｔｉｏ）の低下による画質低下が発生するという問題点がある。また、発光ダイオードのオン-オフ数が増加することで消費電力が増加するとともに、フリッカー発生によって均一輝度の具現が難しいという問題があった。
【００１３】
したがって、本発明は、上記のような課題を解決するためになされたものであり、その目的は、駆動タイミングチャート設計時の設計マージンを広げることができるフィールドシーケンシャルカラー型液晶表示装置を提供することにある。
【００１４】
本発明の他の目的は、フレーム周波数増加時発生される輝度偏差を減らして、低温での色再現率及びコントラスト比（Ｃ／Ｒ； Ｃｏｎｔｒａｓｔ Ｒａｔｉｏ）の低下を減らすことで画質特性を改善することができるフィールドシーケンシャルカラー型液晶表示装置を提供することにある。
【００１５】
本発明のまた他の目的は、同一輝度発生時の消費電力を減らすことができるフィールドシーケンシャルカラー型液晶表示装置を提供することにある。
【００１６】
本発明のまた他の目的は、このようなフィールドシーケンシャルカラー型液晶表示装置を效率的に駆動することができる液晶表示装置の駆動方法を提供することにある。
【００１７】
本発明が解決しようとする技術的課題は以上で言及した技術的課題に制限されなく、言及されなかったまた他の技術的課題は下の記載から本発明が属する技術分野で通常の知識を持った者に明確に理解されることができるでしょう。
【課題を解決するための手段】
【００１８】
前記技術的課題を果たすための本発明の一つの実施形態によるフィールドシーケンシャルカラー型液晶表示装置は、お互いに交差するゲートラインとデータラインによって仕分けされるマトリックス形態に配列された複数個のピクセルを備える液晶パネルと、外部から入力されるフレーム周波数と第１使用者設定信号によって１水平周期（データ記入時間）を選択して、第２及び第３使用者設定信号によって前記１水平周期に対応する液晶応答時間及びバックライト駆動時間をそれぞれ決めるサブフィールド時間設定部と、前記１水平周期及び前記液晶応答時間に対応するゲート制御信号及びデータ制御信号と、前記バックライト駆動時間に対応する光源制御信号、再整列処理された画素データを生成して出力するタイミングコントローラーと、前記ゲート制御信号によって前記ゲートラインにスキャンパルスを順に出力するゲート駆動部と、前記データ制御信号によって前記１水平周期ごとにデータ電圧をデータラインに出力するデータ駆動部と、前記タイミングコントローラーの制御によって前記ピクセルそれぞれに複数の色の光を順に出力するバックライトユニットを含むことを特徴とする。
【００１９】
ここで、前記一つのフレームは赤色、緑色及び青色の光を出力するための３個のサブフレームで構成されて、前記各サブフレームは前記１水平周期に対応する可変可能なデータ記入時間、液晶応答時間及びバックライト駆動時間から成る３個のサブフィールドで構成されていることを特徴とする。
ここで、前記サブフィールド時間設定部は、前記第１使用者設定信号によって１水平周期を選択して、前記第２及び第３使用者設定信号によって前記１水平周期に対応する液晶応答時間及びバックライト駆動時間をそれぞれ可変することを特徴とする。
【００２０】
ここで、前記サブフィールド時間設定部は、前記第１使用者設定信号によって前記フレーム周波数に対応する１水平周期を選択して出力する水平周期可変部と、前記１水平周期と、前記第２使用者設定信号によって前記液晶応答時間を可変する液晶応答時間可変部と、前記１水平周期と、前記第３使用者設定信号によって前記バックライト駆動時間を可変するバックライト部駆動時間可変部を含むことができる。
【００２１】
ここで、前記液晶応答時間と前記バックライト駆動時間を決める前記第２及び第３使用者設定信号は周辺温度や輝度偏差によってそれぞれ個別的に設定できることを特徴とする。
ここで、前記第１ないし第３使用者設定信号はそれぞれメモリーに貯蔵された値を使用者が選択することを特徴とする。
【００２２】
ここで、前記可変可能な３個のサブフィールドはそれぞれ最小設定時間及び可変可能な時間から成ることができる。
【００２３】
一方、本発明の他の実施形態によるフィールドシーケンシャルカラー型液晶表示装置は、お互いに交差するゲートラインとデータラインによって仕分けされるマトリックス形態に配列された複数個のピクセルを備える液晶パネルと、一つのフレームに対応するフレーム周波数が外部から入力される場合、これを変調する周波数変造部と、前記周波数変造部で変調されたフレーム周波数及び第１使用者設定信号によって１水平周期を選択して、第２及び第３使用者設定信号によって前記１水平周期に対応する液晶応答時間及びバックライト駆動時間をそれぞれ決めるサブフィールド時間設定部と、前記１水平周期及び前記液晶応答時間に対応するゲート制御信号及びデータ制御信号と、前記バックライト駆動時間に対応する光源制御信号、再整列処理された画素データを生成して出力するタイミングコントローラーと、前記ゲート制御信号によって前記ゲートラインにスキャンパルスを順に出力するゲート駆動部と、前記データ制御信号によって前記１水平周期ごとにデータ電圧をデータラインに出力するデータ駆動部と、前記タイミングコントローラーの制御によって前記ピクセルそれぞれに複数の色の光を順に出力するバックライトユニットを含むことを特徴とする。
【００２４】
一方、本発明の一つの実施形態によるフィールドシーケンシャルカラー型液晶表示装置の駆動方法は、ａ）一つのフレームに対応するフレーム周波数が外部から入力される場合、第１使用者設定信号によって液晶パネルのゲートラインを駆動するための１水平周期を選択する段階と、ｂ）前記１水平周期と第２及び第３使用者設定信号によって液晶応答時間及びバックライト駆動時間をそれぞれ決めて出力する段階と、ｃ）前記１水平周期と前記液晶応答時間に対応するゲート制御信号及びデータ制御信号、前記バックライト駆動時間に対応する光源制御信号及び再整列処理された画素データを生成して出力する段階と、ｄ）前記ゲート制御信号によって前記液晶パネルのゲートラインにスキャンパルスを順に出力する段階と、ｅ）前記画素データをデータ電圧に変換して、前記データ制御信号によって前記１水平周期ごとに前記データ電圧を前記データラインに出力する段階と、ｆ）前記光源制御信号によって赤色、緑色、青色の光を順に出力する段階を含むことを特徴とする。
【００２５】
ここで、前記ａ）段階は、前記外部から入力されるフレーム周波数を変調する段階と前記変調されたフレーム周波数と前記第１使用者設定信号によって液晶パネルのゲートラインを駆動するための１水平周期を選択する段階を含むことができる。
【発明の効果】
【００２６】
本発明のフィールドシーケンシャルカラー型液晶表示装置は、一つのフレームを構成する各サブフィールド（ｓｕｂ−ｆｉｅｌｄ）を個別的に可変することができるように構成されることで、タイミングチャート設計時設計マージンを広げて、フレーム周波数増加時発生される輝度偏差と、低温での色再現率及びコントラスト比（Ｃ／Ｒ；Ｃｏｎｔｒａｓｔ  Ｒａｔｉｏ）の低下を減らして画質特性を改善することができるし、同一輝度発生時の消費電力を減らすことができる。
【００２７】
また、本発明のフィールドシーケンシャルカラー型液晶表示装置の駆動方法はこのような液晶表示装置を效率的に駆動することができる。
【発明を実施するための最良の形態】
【００２８】
本発明の利点及び特徴、そしてそれらを果たす方法は添付される図面と共に詳細に説明されている実施形態を参照すれば明確になるでしょう。明細書全体にかけて同一参照符号は同一構成要素を指称する。
【００２９】
以下、本発明の望ましい実施形態によるフィールドシーケンシャルカラー型液晶表示装置及びそれの駆動方法に対して添付された図面を参照して詳しく説明する。
【００３０】
図２は本発明の一つの実施形態によるフィールドシーケンシャルカラー型液晶表示装置を概略的に示す構成図である。
【００３１】
図２を参照すれば、本発明の一つの実施形態によるフィールドシーケンシャルカラー型液晶表示装置は大きく画像を表示する液晶パネル１００と、液晶パネル１００を駆動する駆動部２００、赤色、緑色、青色の光源（ＲＬＥＤ、ＧＬＥＤ、ＢＬＥＤ）を備えて液晶パネル１００に光を供給するバックライトユニット３００に仕分けされる。
【００３２】
液晶パネル１００はｍ個のゲートライン（ＧＬ１、ＧＬ２、ＧＬ３、・・・、ＧＬｍ）と、ｎ個のデータライン（ＤＬ１、ＤＬ２、ＤＬ３、・・・、ＤＬｎ）がマトリックス形態で交差配置されて数多くのピクセルを区分するように構成される。以下の説明では、仕分けが不必要な場合、ｍ個のゲートライン（ＧＬ１、ＧＬ２、ＧＬ3、・・・、ＧＬｍ）とｎ個のデータライン（ＤＬ１、ＤＬ２、ＤＬ３、・・・、ＤＬｎ）を、それぞれをゲートライン（ＧＬ）及びデータライン（ＤＬ）と通称する。
【００３３】
各ピクセルには薄膜トランジスター及びストレージキャパシターなどが形成されて、ゲートライン（ＧＬ）及びデータライン（ＤＬ）に繋がれた薄膜トランジスターのスイチング動作によってピクセル別に供給されるデータ電圧と共通電圧によって液晶パネル１００上に画像が表示されて、ストレージキャパシターによってピクセルの電圧維持特性が向上しながら階調（Ｇｒａｙ  ｓｃａｌｅ）表示が安定化される。
【００３４】
駆動部２００はタイミングコントローラー２１０、ゲート駆動部２２０、データ駆動部２３０、ガンマ電圧生成部２４０、サブフィールド時間設定部２５０などを含むように構成される。
【００３５】
サブフィールド時間設定部２５０は外部から入力されるフレーム周波数と第１使用者設定信号によって１水平周期を選択して、前記１水平周期と第２及び第３使用者設定信号によってそれぞれ液晶応答時間及びバックライト駆動時間をそれぞれ可変して出力する。ここで、１水平周期は薄膜トランジスタースキャンを行うことでのゲートラインへのデータ記入時間、すなわち、液晶パネル１００上の一つのゲートラインに印加されるスキャンパルスのゲートオンタイム（Ｇａｔｅ  Ｏｎ  Ｔｉｍｅ）を意味する。
【００３６】
タイミングコントローラー２１０は水平同期信号（Ｈｓｙｎｃ）、垂直同期信号（Ｖｓｙｎｃ）、データイネーブル信号（ＤＥ）及びメインクロック（MCLK）などの入力を受けて必要な制御信号(ゲート制御信号、データ制御信号、光源制御信号)をゲート駆動部２２０、データ駆動部２３０及びバックライトユニット３００にそれぞれ供給する。また、タイミングコントローラー２１０は、入力された画素データ（Ｒ、Ｇ、Ｂ  Ｄａｔａ）を再整列処理してデータ駆動部２３０で供給する。
【００３７】
ゲート制御信号にはゲートスタートパルス（Ｇａｔｅ  Ｓｔａｒｔ  Ｐｕｌｓｅ：ＧＳＰ）、ゲートシフトクロック（Ｇａｔｅ  Ｓｈｉｆｔ  Ｃｌｏｃｋ：ＧＳＣ）、ゲート出力イネーブル（Ｇａｔｅ  Ｏｕｔｐｕｔ Ｅｎａｂｌｅ：ＧＯＥ）などが含まれ、データ制御信号にはソーススタートパルス（Ｓｏｕｒｃｅ  Ｓｔａｒｔ Ｐｕｌｓｅ： ＳＳＰ）、ソースシフトクロック（Ｓｏｕｒｃｅ  Ｓｈｉｆｔ  Ｃｌｏｃｋ: ＳＳＣ）、ソース出力イネーブル（Ｓｏｕｒｃｅ  Ｏｕｔｐｕｔ Ｅｎａｂｌｅ：  ＳＯＣ）、極性反転信号（Ｐｏｌａｒｉｔｙ：ＰＯＬ）などが含まれる。
【００３８】
タイミングコントローラー２１０から出力されるゲート制御信号及びデータ制御信号は１水平周期と液晶応答時間に合わせてゲート駆動部２２０及びデータ駆動部２３０を駆動する信号であり、光源制御信号はバックライト駆動時間にあうようにバックライトユニット３００を駆動する信号である。
【００３９】
サブフィールド時間設定部２５０とタイミングコントローラー２１０は一つの素子に一体化されて構成されることもできる。
【００４０】
ゲート駆動部２２０はゲート制御信号によってゲートライン（ＧＬ）にスキャンパルスを順に出力する。
【００４１】
データ駆動部２３０はガンマ電圧生成部２４０から供給されるガンマ電圧を利用してタイミングコントローラー２１０で再整列処理された上で供給された画素データをデータ電圧に変換して、データ制御信号によって１水平周期ごとにデータ電圧をデータライン（ＤＬ）に出力する。
【００４２】
バックライトユニット３００は駆動部２００の制御によって液晶パネル１００上のピクセルそれぞれに赤色、緑色、青色の光を順に出力する。
【００４３】
次に、図３はサブフィールド時間設定部の時間設定を示す図である。
【００４４】
図３を参照すれば、本発明の実施形態によれば、一つのフレームは赤色、緑色及び青色の光を出力するための３個のサブフレームで構成されて、それぞれのサブフレームはそれぞれデータ記入時間（ＡＰ）、液晶応答時間（ＷＰ）及びバックライト駆動時間（ＦＰ）から成る３個のサブフィールドで構成されている。
【００４５】
ここで、一つのフレームは使用者設定によって可変可能な値であり、一つのフレームを成すデータ記入時間（ＡＰ）、液晶応答時間（ＷＰ）及びバックライト駆動時間（ＦＰ）は使用者設定によって個別的に可変されることができる。
【００４６】
従来では図３の(a)のようにフレーム周波数が標準規格によって６０Ｈｚや９０Ｈｚで決まって、それによって一つのフレームとサブフレームが固定されれば、固定されたサブフレームの範囲内でデータ記入時間（ＡＰ）、液晶応答時間（ＷＰ）及びバックライト駆動時間（ＦＰ）が確定される方式でタイミングチャートが設計された。
【００４７】
例えば、輝度が低くなってバックライト駆動時間（ＦＰ）を増加させようとする場合、タイミングチャート上でデータ（ＡＰ）や液晶応答時間（ＷＰ）を減らすのが不可避であり、従来の方法では対応できなかった。
【００４８】
しかし、本発明によれば、データ記入時間（ＡＰ）、液晶応答時間（ＷＰ）またはバックライト駆動時間（ＦＰ）をそれぞれ制御するようにタイミングチャートの設計を変更することで、設計マージン（Ｍａｒｇｉｎ）を広げることができる。また、フレーム周波数を６０Ｈｚや９０Ｈｚで固定してタイミングチャートの設計マージンを制限する必要なく、標準規格に当たるように入力されたフレーム周波数を可変（Ｍｏｄｉｆｙ）、すなわち周波数を変調することで全体フレームを調節することもできる。
【００４９】
このようなデータ記入時間（ＡＰ）、液晶応答時間（ＷＰ）またはバックライト駆動時間（ＦＰ）の個別的な可変は使用者設定によって予め決められたそれぞれのサブフレーム範囲内でそれぞれ行われる。また、全体フレーム周波数の変更は所定範囲内で行われる。すなわち、外部から入力されるクロック周波数を変調することで、例えば、６０Ｈｚないし９０Ｈｚの範囲で可変することができるし、このように可変されたフレーム周波数の各サブフィールドに対するデータ記入時間（ＡＰ）、液晶応答時間（ＷＰ）またはバックライト駆動時間（ＦＰ）を個別的に可変させることができる。
【００５０】
例えば、スキャンパルスが印加される方向による輝度偏差が発生したり低温で液晶の応答速度が遅くなったりして画質低下が発生すれば、図３の（ｂ）のようにデータ記入時間（ＡＰ）とバックライト駆動時間（ＦＰ）を減らして液晶応答時間（ＷＰ）をふやすことで、輝度偏差を改善することができる。もし、以前に設定された液晶応答時間（ＷＰ）が最大でない場合、データ記入時間（ＡＰ）とバックライト駆動時間(FP)をそのまま維持しながら、液晶応答時間（ＷＰ）だけふやすことで、他の特性を低下させないのに輝度偏差を改善することもできる。
【００５１】
また、バックライト駆動時間（ＦＰ）とバックライトユニット３００内の発光ダイオード（ＲＬＥＤ、ＧＬＥＤ、ＢＬＥＤ）の電流を変更して消費電力と輝度を設計するので、図３の（ｃ）のように、バックライト駆動時間（ＦＰ）を個別的に可変することができるようになれば、可能な最小消費電力で最適の輝度を出すようにタイミングチャートを最適化することができる。
【００５２】
図４は図２に図示されたサブフィールド時間設定部２５０の時間設定をより具体的に説明するための図である。
【００５３】
先に、図４のａ）を参照すれば、赤色（Ｒ）サブフレームは３個の可変可能なサブフィールド（ＶＡＰ、ＶＷＰ、ＶＦＰ）で構成されて、それぞれの可変可能なサブフィールド（ＶＡＰ、ＶＷＰ、ＶＦＰ）は物理的に可能なそれぞれの最小時間（ＡＰ、ＷＰ、ＦＰ）及び可変可能な値（ＡＰ‘、ＷＰ‘、ＦＰ‘）のそれぞれの合計で構成される。この時、可変可能な値はサブフレーム範囲内でそれぞれの最小時間を除いた値(すなわち、サブフレーム−（ＡＰ＋ＷＰ＋ＦＰ)）になることができる。
【００５４】
次に、図４のｂ）を参照すれば、液晶応答時間（ＶＷＰ）を図１と比べると、ｄ１＋ｄ２位増加させて、データ記入時間（ＶＡＰ)はｄ１位減少させて、発光ダイオード駆動時間（ＶＦＰ）はｄ２位減少させることができることを示す。
【００５５】
次に、図４のｃ）を参照すれば、発光ダイオード駆動時間（ＶＦＰ）を図１と比べると、ｄ３位増加させて、データ記入時間（ＶＡＰ）はｄ３位減少して、液晶応答時間（Ｖｗｐ）はそのまま維持することを示している。
【００５６】
次に、図４のｄ）を参照すれば、最小液晶応答時間（ＷＰ）及び最小発光ダイオード駆動時間（ＦＰ）で設定して、データ記入時間（ＶＡＰ）を最大で可変させることができることを示している。また、図４のｅ）を参照すれば、最小データ記入時間（ＡＰ）及び最小発光ダイオード駆動時間（ＦＰ）で設定して、液晶応答時間（Ｖｗｐ）を最大で可変させることができることを示して、また、図４のｆ）を参照すれば、最小データ記入時間（ＡＰ）及び最小液晶応答時間（ＷＰ）で設定して、発光ダイオード駆動時間（ＶＦＰ）を最大で可変させることができることを示している。
【００５７】
ここで、前記サブフレーム（Ｒ）はフレーム周波数を可変する場合、これに対応して可変されることができるということは前述のようである。
【００５８】
一方、図５は図２に示されたサブフィールド時間設定部２５０をより詳細に示す構成図で、図６は図２に示すサブフィールド時間設定部２５０で、使用者設定による液晶応答時間及びバックライト駆動時間の一例を示す表である。
【００５９】
先ず、図５を参照すれば、サブフィールド時間設定部２５０は水平周期可変部２２１、液晶応答時間可変部２２２及びバックライト駆動時間可変部２２３を含むように構成される。
【００６０】
水平周期可変部２２１はフレーム周波数（ｆｏｓｃ）の入力を受けて、第１使用者設定信号である水平周期設定信号（ＲＴＮ）によってフレーム周波数（ｆｏｓｃ）に対応する１水平周期を選択して液晶応答時間可変部２２２及びバックライト駆動時間可変部２２３に出力する。
【００６１】
液晶応答時間可変部２２２は１水平周期と、第２使用者設定信号である液晶応答時間設定信号（ＲＴＳＥＬ）によって液晶応答時間（ＷＰ）を決めて、バックライト駆動時間可変部２２３は１水平周期と、第３使用者設定信号であるバックライト駆動時間設定信号（ＢＴＳＥＬ）によってバックライト駆動時間（ＦＰ）を決めるようになる。
【００６２】
使用者は液晶応答時間（ＷＰ）とバックライト駆動時間（ＦＰ）を決める液晶応答時間設定信号（ＲＴＳＥＬ）及びバックライト駆動時間設定信号（ＢＴＳＥＬ）を周辺温度や輝度偏差によってそれぞれ個別的に設定することができる。ここで、前記第１乃至第３使用者設定信号（ＲＴＮ、ＲＴＳＥＬ、ＢＴＳＥＬ）は使用者の選択による可変値として、それぞれメモリーに貯蔵されたルックアップテーブル形態で提供されることができる。
【００６３】
図６は図２に示すサブフィールド時間設定部２５０で、それぞれの使用者設定信号による液晶応答時間及びバックライト駆動時間の一例を示す表である。
【００６４】
本発明の液晶表示装置が携帯電話に具備されて、内蔵されたメモリー上に図６のようなタイミングチャート時間が貯蔵された場合のタイミングチャート設計の一例を、図６を参照しながら説明すれば次のようである。
【００６５】
初期環境で、前記水平周期設定信号（ＲＴＮ）、液晶応答時間設定信号（ＲＴＳＥＬ）及びバックライト駆動時間設定信号（ＢＴＳＥＬ）のデフォルト（Ｄｅｆａｕｌｔ）値としてメモリー内の第１レジスター乃至第３レジスターにそれぞれ５ｈ'１0、００１、００１が貯蔵された場合、水平周期は２．５０ｕｓになって、液晶応答時間（ＷＰ）及びバックライト駆動時間（ＦＰ）は前記水平周期を１クロックにしてそれぞれ１７０クロック及び３４０クロックにあたる時間で決まることができる。
【００６６】
以後、低温のテスト環境で、液晶の応答速度が遅くなって画質低下が発生するようになれば、第２レジスター値を０１１に変更して液晶応答時間（ＷＰ）を個別的にふやすことができる。また、第１レジスターと第３レジスターに貯蔵された値はそのまま置くか変更することもできる。
【００６７】
図７は本発明の一つの実施形態によるフィールドシーケンシャルカラー型液晶表示装置の駆動方法を示す流れ図である。
【００６８】
先ず、Ｓ１００段階で、サブフィールド時間設定部２５０が外部から入力されたフレーム周波数（ｆｏｓｃ）と第１使用者設定信号（ＲＴＮ）によって液晶パネル１００のデータライン（ＤＬ）を駆動するための１水平周期を選択する。
【００６９】
次に、Ｓ１１０段階で、サブフィールド時間設定部２５０が１水平周期と第２使用者設定信号（ＲＴＳＥＬ）及び第３使用者設定信号（ＢＴＳＥＬ）によって液晶応答時間（ＷＰ）及びバックライト駆動時間（ＦＰ）をそれぞれ決めてタイミングコントローラー２１０に出力する。
【００７０】
次に、Ｓ１２０段階で、タイミングコントローラー２１０が１水平周期及び液晶応答時間(WP)に対応するゲート制御信号及びデータ制御信号と、バックライト駆動時間（ＦＰ）に対応する光源制御信号、再整列処理された画素データを生成して出力する。
【００７１】
次に、Ｓ１３０段階で、ゲート駆動部２２０がゲート制御信号によって液晶パネル１００のゲートラインにスキャンパルスを順に出力する。
【００７２】
次に、Ｓ１４０段階で、データ駆動部２３０がガンマ電圧を利用して画素データをデータ電圧で変換して、データ制御信号によって１水平周期ごとにデータ電圧をデータライン（ＤＬ）で印加する。
【００７３】
次に、Ｓ１５０段階で、バックライトユニット３００が光源制御信号によって赤色、緑色、青色の光を順に出力して液晶パネル１００上に画像が表示されるようにする。
【００７４】
以上添付された図面を参照して本発明の実施形態を説明したが、本発明が属する技術分野で通常の知識を持った者は本発明がその技術的思想や必須な特徴を変更しなくても他の具体的な形態で実施されることができるということを理解することができるでしょう。
【００７５】
したがって、以上で記述した実施形態は本発明が属する技術分野で通常の知識を持った者に発明の範疇を完全に知らせてくれるために提供されることなので、すべての面で例示的なことで限定的ではないことで理解しなければならないし、本発明は請求項の範疇によって定義されるだけである。
【００７６】
前記のように成る本発明の望ましい実施形態によるフィールドシーケンシャルカラー型液晶表示装置は、一つのフレームを構成する各サブフィールド（ｓｕｂ−ｆｉｅｌｄ）を個別的に可変することができるように構成されることで、タイミングチャート設計時設計マージンを広げて、フレーム周波数増加時に発生される輝度偏差と、低温での色再現率及びコントラスト比（Ｃ／Ｒ；Ｃｏｎｔｒａｓｔ  Ｒａｔｉｏ）の低下を減らして画質特性を改善することができるし、同一輝度発生時の消費電力を減らすことができる。
【００７７】
また、本発明の望ましい実施形態によるフィールドシーケンシャルカラー型液晶表示装置の駆動方法はこのような液晶表示装置を效率的に駆動することができる。
【図面の簡単な説明】
【００７８】
【図１】従来技術によるフィールドシーケンシャルカラー型液晶表示装置の駆動方法を説明するためのタイミングチャート。
【図２】本発明の一つの実施形態によるフィールドシーケンシャルカラー型液晶表示装置を概略的に示す構成図。
【図３】サブフィールド時間設定部の時間設定を示す図。
【図４】サブフィールド時間設定部の時間設定をより具体的に説明するための図。
【図５】サブフィールド時間設定部をより詳細的に示す構成図。
【図６】サブフィールド時間設定部で、使用者設定による液晶応答時間及びバックライト駆動時間の一例を示す表。
【図７】本発明の一つの実施形態によるフィールドシーケンシャルカラー型液晶表示装置の駆動方法を示す流れ図。
【符号の説明】
【００７９】
１００  液晶パネル、２００  駆動部、２１０  タイミングコントローラー、２２０  ゲート駆動部、２２１  水平周期可変部、２２２  液晶応答時間可変部、２２３  バックライト駆動時間可変部、２３０  データ駆動部、２４０  ガンマ電圧生成部、２５０  サブフィールド時間設定部、３００  バックライトユニット。
【図１】
2007183545.tif 000003
【図２】
2007183545.tif 000004
【図３】
2007183545.tif 000005
【図４】
2007183545.tif 000006
【図５】
2007183545.tif 000007
【図６】
2007183545.tif 000008
【図７】
2007183545.tif 000009